(57)【要約】【課題】複数の施設を効率よく利用するスケジュール、及び選択された施設を視覚的に理解できるスケジュール作成装置を提供する。【解決手段】スケジュール作成装置は、複数の施設のうち１以上の施設を利用する選択が可能な状態で、複数の施設に関する情報を表示する選択表示、及び複数の施設を含む地図を表示する地図表示を行う表示部１４０を備える。選択された施設を利用するスケジュールを、選択された施設の待ち時間を考慮して作成する制御部を備える。表示部１４０は、選択表示、地図の表示、及び制御部により作成されたスケジュールの表示を切り替えて行う。【選択図】図１０
2008102822.tif 000002
【特許請求の範囲】
【請求項１】
複数の施設のうち１以上の施設を利用する選択が可能な状態で、前記複数の施設に関する情報を表示する選択表示、及び前記複数の施設を含む地図を表示する地図表示を行う表示部と、
前記選択された施設を利用するスケジュールを、前記選択された施設の混雑状況を考慮して作成する制御部とを備え、
前記表示部は、前記選択表示、前記地図の表示、及び前記制御部により作成されたスケジュールの表示を切り替えて行うことを特徴とするスケジュール作成装置。
【請求項２】
前記複数の施設のうち、予約が可能な施設に対する利用が選択された場合に、前記制御部は、前記予約が可能な施設に対応する端末と通信を行い、予約可否の確認、及び予約手続きを行うことを特徴とする請求項１に記載のスケジュール作成装置。
【請求項３】
緯度経度情報を取得する計測部を更に備え、
前記表示部は、前記地図の表示において、前記緯度経度情報に基づいて自者位置を表示し、前記予約した施設の予約時間と、前記予約した施設と前記自者位置との距離に応じた時間だけ前記予約時間より前に、予約時間が迫っている旨の警告を行うことを特徴とする請求項２に記載のスケジュール作成装置。
【請求項４】
緯度経度情報を取得する計測部と、
前記表示部が保持されている方向を特定する方位計測部を更に備え、
前記表示部は、前記地図の表示において、前記緯度経度情報に基づく自者位置と、前記方位計測部に基づく方向とを表示することを特徴とする請求項１に記載のナビゲーションシステム。
【請求項５】
前記表示部は、前記複数の施設のうち利用のための選択を行った施設について、選択を行っていない施設と異なる表示を、前記地図上で行うことを特徴とする請求項１に記載のスケジュール作成装置。
【請求項６】
前記制御部は、前記スケジュール作成装置と異なる別のスケジュール作成装置の制御部により作成されたスケジュールに関する情報を受信し、
前記表示部は、前記別のスケジュール作成装置で作成されたスケジュールを表示することを特徴とする請求項１に記載のスケジュール作成装置。
【請求項７】
緯度経度情報を取得する計測部を更に備え、
前記制御部は、前記別のスケジュール作成装置の計測部で取得された緯度経度情報を受信し、
前記表示部は、前記地図の表示において、前記緯度経度情報に基づく自者位置、及び前記別のスケジュール作成装置の緯度経度情報に基づく他者位置を表示することを特徴とする請求項６に記載のスケジュール作成装置。
【請求項８】
前記表示部は、前記地図表示において、前記施設の混雑状況に関する情報を表示することを特徴とする請求項１に記載のスケジュール作成装置。
【請求項９】
前記混雑状況の考慮は、前記施設の過去の混雑状況に基づいて行われることを特徴とする請求項１に記載のスケジュール作成装置。
【発明の詳細な説明】
【技術分野】
【０００１】
本発明は、スケジュール作成装置に関し、特に、アミューズメントパークなどの一定の領域内にある複数の施設を効率よく利用するためのスケジュールを作成するスケジュール作成装置に関する。
【背景技術】
【０００２】
複数のアトラクション（施設）を効率よく利用するためのスケジュール作成装置が提案されている。
【０００３】
特許文献１は、利用するアトラクションを選択し、選択された内容に基づいてスケジュールを作成する装置を開示する。
【特許文献１】特開２００３−４７７８３号公報
【発明の開示】
【発明が解決しようとする課題】
【０００４】
しかし、特許文献１の装置は、選択したアトラクションの場所を特定できないため、初めて訪れた使用者は、別途用意した地図を見ながら使用することになり不便である。
【０００５】
したがって本発明の目的は、複数の施設を効率よく利用するスケジュール、及び選択された施設を視覚的に理解できるスケジュール作成装置を提供することである。
【課題を解決するための手段】
【０００６】
本発明に係るスケジュール作成装置は、複数の施設のうち１以上の施設を利用する選択が可能な状態で、複数の施設に関する情報を表示する選択表示、及び複数の施設を含む地図を表示する地図表示を行う表示部と、選択された施設を利用するスケジュールを、選択された施設の混雑状況を考慮して作成する制御部とを備え、表示部は、選択表示、地図の表示、及び制御部により作成されたスケジュールの表示を切り替えて行う。
【０００７】
好ましくは、複数の施設のうち、予約が可能な施設に対する利用が選択された場合に、制御部は、予約が可能な施設に対応する端末と通信を行い、予約可否の確認、及び予約手続きを行う。
【０００８】
さらに好ましくは、緯度経度情報を取得する計測部を更に備え、表示部は、地図の表示において、緯度経度情報に基づいて自者位置を表示し、予約した施設の予約時間と、予約した施設と自者位置との距離に応じた時間だけ予約時間より前に、予約時間が迫っている旨の警告を行う。
【０００９】
また、好ましくは、緯度経度情報を取得する計測部と、表示部が保持されている方向を特定する方位計測部を更に備え、表示部は、地図の表示において、緯度経度情報に基づく自者位置と、方位計測部に基づく方向とを表示する。
【００１０】
また、好ましくは、表示部は、複数の施設のうち利用のための選択を行った施設について、選択を行っていない施設と異なる表示を、地図上で行う。
【００１１】
また、好ましくは、制御部は、スケジュール作成装置と異なる別のスケジュール作成装置の制御部により作成されたスケジュールに関する情報を受信し、表示部は、別のスケジュール作成装置で作成されたスケジュールを表示する。
【００１２】
さらに好ましくは、緯度経度情報を取得する計測部を更に備え、制御部は、別のスケジュール作成装置の計測部で取得された緯度経度情報を受信し、表示部は、地図の表示において、緯度経度情報に基づく自者位置、及び別のスケジュール作成装置の緯度経度情報に基づく他者位置を表示する。
【００１３】
また、好ましくは、表示部は、地図表示において、施設の混雑状況に関する情報を表示する。
【００１４】
また、好ましくは、混雑状況の考慮は、施設の過去の混雑状況に基づいて行われる。
【発明の効果】
【００１５】
以上のように本発明によれば、複数の施設を効率よく利用するスケジュール、及び選択された施設を視覚的に理解できるスケジュール作成装置を提供することができる。
【発明を実施するための最良の形態】
【００１６】
以下、本実施形態について、図を用いて説明する。本実施形態におけるスケジュール作成装置１は、携帯情報端末１００、ＰＣ（パーソナルコンピュータ）２００、及び第１〜第９施設側端末３００ａ１〜３００ａ１２を備える（図１、図２参照）。
【００１７】
また、簡易地図１０に対応し、スケジュール作成装置１が使用される一定の領域は、第１〜５エリアＡ〜Ｅで構成される（図３参照）。第１エリアＡは、第１アトラクションＡ（１）、及び第１レストランＲ（１）を有する。第２エリアＢは、第２アトラクションＡ（２）、及び第２レストランＲ（２）を有する。第３エリアＣは、第３アトラクションＡ（３）、第３レストランＲ（３）、及び第２、第３イベントＥ（２）、Ｅ（３）が行われる場所を有する。第４エリアＤは、第４アトラクションＡ（４）、及び第１イベントＥ（１）が行われる場所を有する。第５エリアＥは、第５アトラクションＡ（５）、及び第４レストランＲ（４）を有する。
【００１８】
携帯情報端末１００は、スケジュール作成装置１が使用される一定の領域にある施設を利用する使用者が使用する情報端末であり、使用者側操作部１１０、計測部１３０、使用者側表示部１４０、使用者側記録部１５０、使用者側送受信部１８０、及び使用者側制御部１９０を有する。本実施形態では、説明の簡素化のため、携帯情報端末１００が１台であるとして説明するが、複数あってもよい。
【００１９】
ＰＣ２００は、使用者が使用する形態情報端末１００、及び第１〜第１２施設側端末３００ａ１〜３００ａ１２とのデータ送受信を行うサーバであり、ＰＣ側操作部２１０、ＰＣ側表示部２４０、ＰＣ側記録部２５０、第２送受信部２８０、及びＰＣ側制御部２９０を有する。
【００２０】
第１〜第５施設側端末３００ａ１〜３００ａ５は、それぞれ第１〜第５アトラクションＡ（１）〜Ａ（５）に設置された端末であり、第６〜第８施設側端末３００ａ６〜３００ａ８は、それぞれ第１〜第３イベントＥ（１）〜Ｅ（３）が行われる場所に設置された端末であり、第９〜第１２施設側端末３００ａ９〜３００ａ１２は、それぞれ第１〜第４レストランＲ（１）〜Ｒ（４）に設置された端末である。本実施形態では、１２の施設（５つのアトラクション、３つのイベントが行われる場所、４つのレストラン）が、スケジュール作成装置１が使用される一定の領域にあるとして説明するが、施設の数、及びこれに対応する施設側端末の数はこれに限られない。
【００２１】
第１〜第１２施設側端末３００ａ１〜３００ａ１２は、それぞれ、第１〜第１２撮影部３７０ａ１〜３７０ａ１２、第１〜第１２施設側送受信部３８０ａ１〜３８０ａ１２、及び第１〜第１２施設側３９０ａ１〜３９０ａ１２を有する。図２は、１以上１２以下の整数であるｎを使って、第ｎ施設側端末３００ａｎの構成を示す。
【００２２】
使用者側操作部１１０は、使用者側表示部１４０のタッチパネルを介して使用者の操作によりコマンドを制御部１９０に送る装置である。但し、タッチパネルに代えて、使用者側表示部１４０の周辺などに配置したキーによる操作やリモートコントローラによる遠隔操作であってもよい。使用者が使用者側操作部１１０を操作することにより、使用者側表示部１４０で表示させる表示パターンの種類（選択画面、スケジュール画面、地図画面）が切り替えられる。また、スケジュールに取り入れるアトラクションなどの選択が行われる。
【００２３】
計測部１３０は、ＧＰＳ、ＰＨＳなど携帯情報端末１００を保持する者の実位置（緯度経度情報）を第１時間おきに計測する装置である。但し、一定時間（第１時間）おきに計測する形態に限られない。
【００２４】
使用者側表示部１４０は、使用者側表示部１４０で表示可能な地図データに変換された簡易地図１０を使った地図画面、選択画面１４１、及びスケジュール画面１４５のいずれかを表示する。
【００２５】
簡易地図１０は、実際の地形に合わせた地図に対して、特徴的な形状に関する情報（使用者の欲しい情報）を強調し、それ以外の情報を省略したデフォルメ地図である（図１参照）。但し、簡易地図１０は、実際の地形を撮影して得られた航空写真であってもよいし、実際の地形に合わせた地図であってもよい。簡易地図１０は、簡易地図１０上の複数のエリア（第１〜第５エリアＡ〜Ｅ）で構成される。各エリア上の複数の基準ポイント（Ａ１〜Ａ６、Ｂ１〜Ｂ８、Ｃ１〜Ｃ５、Ｄ１〜Ｄ９、Ｅ１〜Ｅ８）には、緯度経度情報が設定される（図３参照）。
【００２６】
基準ポイントが多く設定されると、正確な自者位置を表示することが可能になる。但し、隣接する基準ポイントとの距離は、計測部１３０の計測誤差よりも大きく設定される。
【００２７】
アミューズメントパークや公園などの一定の領域が、簡易地図１０に使用される。本実施形態では、簡易地図１０としてアミューズメントパークの地図が使用される。簡易地図１０には、アミューズメントパークにある道路の他、スケジュール管理の対象となる施設（第１〜第５アトラクションＡ（１）〜Ａ（５）、第１〜第４レストランＲ（１）〜Ｒ（４）、第１〜第３イベントＥ（１）〜Ｅ（２）が行われる場所）が、表示される。スケジュール管理の対象となる施設は、それぞれの緯度経度情報が設定される。
【００２８】
基準ポイントは、簡易地図１０に対応する実際の地形において、使用者が通る場所で且つ、ＧＰＳなどを使って予め緯度経度情報を入手できる場所が設定される。例えば、使用者が通る道路上の曲がり角など、実際の場所と、簡易地図１０上の場所とが明確に対応づけできる場所が設定される。基準ポイントは、後述するエリア特定のために、各エリアに３点以上設定されるのが望ましい。
【００２９】
使用者側表示部１４０は、計測部１３０による実位置の緯度経度情報に基づいて、簡易地図１０上に自者位置を表示する。自者位置は、実位置の緯度経度に最も近い緯度経度を有する基準ポイントに設定される。従って、厳密に実位置を簡易地図１０上で特定することは出来ないが、形状などが正確に表されない簡易地図１０上で、おおまかな自者位置を特定することが可能になる。
【００３０】
また、携帯情報端末１００がジャイロセンサや方位磁石など方向（携帯情報端末１００が保持されている方向）を特定できるセンサを備え、自者位置表示に加えて進行方向を表示させてもよい。進行方向は、例えば、携帯情報端末１００を保持する使用者の顔が向いている方向とほぼ一致する表示部１４０の上面部が向いている方向などが挙げられる。図１は、表示部１４０の上面部（携帯情報端末１００を保持する使用者）が、簡易地図１０上の斜め下方向を向いているとして、人の形をした自者位置マーク近傍に斜め下方向の矢印を表示させている例を示す。
【００３１】
また、表示部１４０におけるエリアに関する情報の表示は、使用者の選択した言語で行われるのが望ましい。この場合、使用者が言語設定を行うための操作手段（不図示）を更に備える。
【００３２】
また、使用者側表示部１４０は、計測部１３０による実位置の緯度経度情報に基づいて、簡易地図１０上に自者（携帯情報端末１００の使用者）が居るエリアに関する情報を表示する。自者が居るエリアの特定は、使用者側制御部１９０によって行われる。具体的には、実位置の緯度経度に最も近い３つの基準ポイントで構成される三角形の中に、実位置が位置し、且つ３つの基準ポイントが同じエリアに属する場合に、実位置がそのエリア内に居ると判断され、そうでない場合は、隣接するエリアの境界付近に居るとして、自者が居るエリアは特定されない。
【００３３】
例えば、図４のように、実位置の緯度経度に最も近い３つの基準ポイントが、Ａ２、Ａ３、Ａ４であり（最も近い基準ポイントはＡ４）、これらの基準ポイントで構成される三角形（点線表示）の中に、実位置（白抜き四角表示）が有る場合は、自者が居るエリアが第１エリアＡであると特定される。この場合、使用者側表示部１４０は、基準ポイントＡ４近傍に自者位置マークを表示し、且つ自者が居るエリア名称を、自者が居るエリアに関する情報として表示する（図１参照）。自者位置マークは人の形に限られない。
【００３４】
また、図５のように、実位置の緯度経度に最も近い３つの基準ポイントが、Ａ２、Ａ４、Ｃ２であり（最も近い基準ポイントはＡ４）、これらの基準ポイントで構成される三角形（点線表示）の中に、実位置（黒塗り四角表示）がある場合は、第１エリアＡと第３エリアＣの境界付近に居るとして、自者が居るエリアは特定されない。この場合、使用者側表示部１４０は、基準ポイントＡ４近傍に自者位置マークを表示するが、自者が居るエリア名称は表示しない。
【００３５】
図３〜図５における基準ポイント（Ａ１〜Ａ６、Ｂ１〜Ｂ８、Ｃ１〜Ｃ５、Ｄ１〜Ｄ９、Ｅ１〜Ｅ８）、上述の点線で示した三角形や、白抜き四角や黒塗り四角で示した実位置は、上述の説明のために示したものであり、使用者側表示部１４０で表示される簡易地図１０上には表示されない。
【００３６】
簡易地図１０が表示される場合、表示部１４０は、選択画面切り替えキー１１を表示する。選択画面切り替えキー１１をタッチすることにより、表示部１４０は、選択画面１４１の表示に切り替える。
【００３７】
選択画面１４１は、スケジュール作成装置１の使用者が、簡易地図１０に対応する一定の領域（アミューズメントパーク）において利用する施設（アトラクション、イベント、及びレストラン）やこれらの営業時間、予約の有無を選択する画面である。選択画面１４１の表内の×印部分を、一度クリックすると項目が選択されたとして○印に切り替えられる。選択画面１４１の表内の○印部分を、一度クリックすると項目の選択が解除されたとして×印に切り替えられる。
【００３８】
図６は、選択画面１４１において、いずれの項目も選択されていない状態を示す。
【００３９】
図７は、選択画面１４１において、第１アトラクションＡ（１）を利用することを時間帯の指定無しで選択し、第２アトラクションＡ（２）を１３時〜１５時の間に利用することを選択し、第３アトラクションＡ（３）を１３時〜１５時の間に利用することを選択し、第４アトラクションＡ（４）を利用することを時間帯の指定無しで選択し、第３イベントＥ（３）を利用することを時間帯の指定無しで選択し、第２レストランＲ（２）を予約した上で利用することを時間帯の指定無しで選択し、第４レストランＲ（４）を利用することを時間帯の指定無しで選択した状態を示す。
【００４０】
図９は、選択画面１４１において、第１アトラクションＡ（１）を利用することを時間帯の指定無しで選択し、第３アトラクションＡ（３）を１３時〜１５時の間に利用することを選択し、第２アトラクションＡ（２）を利用することを時間帯の指定無しで選択し、第３イベントＥ（３）を利用することを時間帯の指定無しで選択し、第２レストランＲ（２）を予約した上で使用することを時間帯の指定無しで選択し、第４レストランＲ（４）を利用することを時間帯の指定無しで選択した状態を示す。
【００４１】
選択画面１４１が表示される場合、表示部１４０は、スケジュール画面切り替えキー１４２を表示する。スケジュール画面切り替えキー１４２をタッチすることにより、表示部１４０は、スケジュール画面１４５の表示に切り替える。また、切り替えの際、選択画面１４１における選択項目の内容に基づいて、使用者側制御部１９０は、スケジュール画面１４５のコンテンツ（スケジュール）を作成する。スケジュール画面１４５のコンテンツ作成の際、レストランの予約などＰＣ２００、及び第１〜第１２施設側端末３００ａ１〜３００ａ１２のいずれかとの情報交換が必要な項目がある場合には、使用者側送受信部１８０、第２送受信部２８０を介してＰＣ２００、及び第１〜第１２施設側端末３００ａ１〜３００ａ１２のいずれかと情報交換を行い、予約の可否を確認する。
【００４２】
図８は、図７の選択画面１４１における選択項目の内容に従って作成されたスケジュール画面１４５を示す。スケジュール画面１４５のコンテンツ（待ち時間、使用時間、使用する施設の順序）は、時間帯の指定がされた施設、施設ごとの営業時間、施設ごとの利用する所用時間、過去の施設の混雑状況（待ち時間）に基づいて求められる。スケジュール画面１４５において、点線で囲った領域は、使用する施設（アトラクション）等の予想待ち時間（イベントについては場所取りに必要な時間）を示し、実線で囲った斜線領域は、使用する施設の予想使用時間を示す。
【００４３】
図７の選択画面１４１において、第２アトラクションＡ（２）と第３アトラクションＡ（３）を同じ時間帯に利用する選択を行っているため、同じ時間帯（１３時〜１５時）に、複数のアトラクションを使用するスケジュールが作成される。この場合、待ち時間の長さ次第では、重複したアトラクションの総てを使用することが出来ない可能性があるため、図８のスケジュール画面１４５上に警告表示が行われる。
【００４４】
図１０は、図９の選択画面１４１における選択項目の内容に従って作成されたスケジュール画面１４５を示す。図９の選択画面１４１において、同じ時間帯に利用する施設の選択を行っていないため、時間帯ごとに、アトラクション等の施設を利用するスケジュールが作成される。
【００４５】
スケジュール画面１４５が表示される場合、表示部１４０は、地図画面切り替えキー１４６、予約実行キー１４７、及び選択画面切り替えキー１４８を表示する。地図画面切り替えキー１４６をタッチすることにより、表示部１４０は、簡易地図１０の表示に切り替える。予約実行キー１４７をタッチすることにより、予約指示コマンドが使用者側制御部１９０、使用者側送受信部１８０を介してＰＣ２００に転送され、ＰＣ２００から、予約対象の施設に対応する施設側端末の予約手続きが行われる。選択画面切り替えキー１４８をタッチすることにより、表示部１４０は、選択画面１４１の表示に切り替える。 
【００４６】
簡易地図１０の表示においては、利用するために選択された施設と、選択されなかった施設とを区別する表示を行っても良い。例えば、図１１のように、選択された施設については、利用順序を記して強調して表示し、選択されなかった施設については、地図上で見えにくくする表示を行う。
【００４７】
予約が完了した施設がある場合、予約時間前に、予約時間が迫っている旨の警告表示が、簡易地図１０を表示した地図画面上に行われる（図１２参照）。警告表示のタイミングは、予約時間の一定時間前に行っても良いが、自者位置（または実位置）と予約した施設との距離（直線距離）が緯度経度情報から求められるため、距離に応じて警告表示のタイミングを変えてもよい（近い場合は、遅いタイミングで警告し、遠い場合は早いタイミングで警告する）。
【００４８】
本実施形態では、警告表示は、予約した施設に対してのみ行う形態を説明したが、選択画面１４１において利用する選択を行い、スケジュール画面１４５に表示された施設に対して行っても良い。
【００４９】
使用者側記録部１５０は、計測日時と計測日時におけるエリア名称、及び簡易地図１０に対応する画像を使用者側表示部１４０に表示するための地図データを記録した記録媒体であるが、記録媒体の種類は問わない。施設ごとの営業時間、施設ごとの利用する所用時間、過去の施設の混雑状況（待ち時間）は、ＰＣ側記録部２５０に記録されており、第２送受信部２８０、使用者側送受信部１８０を介して、使用者側記録部１５０に記録される。
【００５０】
使用者側記録部１５０に記録する地図データは、スケジュール管理の対象となる施設（第１〜第５アトラクションＡ（１）〜Ａ（５）、第１〜第４レストランＲ（１）〜Ｒ（４）、第１〜第３イベントＥ（１）〜Ｅ（３）が行われる場所）の情報を含む簡易地図１０に関する画像データと、基準ポイントの緯度経度情報と、エリアに関する情報（各エリアの名称、及び領域に関する情報）を有する。
【００５１】
簡易地図１０に関する画像データは、簡易地図１０をスキャナ（不図示）により読みとりするなどで電子化されたデータであり、スケジュール管理の対象となる施設及び基準ポイントに対応する場所との関連付け（緯度経度情報の設定）がされている。従って、本実施形態における簡易地図１０の地図データは、複数の縮尺の地図や道路レイヤなどを有するカーナビゲーションシステムの地図データに比べて簡素化される。
【００５２】
使用者側送受信部１８０は、ＰＣ２００の第２送受信部２８０と、データの送受信を行う。送受信の手段は、無線ＬＡＮ、携帯電話などが挙げられる。送受信されるデータは、携帯情報端末１００で設定したレストランなどの施設の予約手続きに関する情報、及びアトラクションなどの施設の利用状況、混雑状況に関する情報などである。
【００５３】
使用者側制御部１９０は、携帯情報端末１００の各部を制御する。特に、使用者側制御部１９０は、使用者側表示部１４０に表示する自者位置や、自者が居るエリアを特定する演算、使用者により選択された施設に基づくスケジュール作成演算を行う。
【００５４】
本実施形態では、緯度経度情報を有しない地図であっても、使用者側表示部１４０で表示可能なデータに変換（電子化）し、地図上の緯度経度情報が特定できる（実際の地形と対応できる）任意の点（基準ポイント）を複数箇所設定することにより、施設情報を含む地図表示及び、自者位置を表示することが可能になる。また自者が居るエリアに関する情報として、自者が居るエリア名称が表示されるので、自者位置に関する情報を文字（エリア名称）と、図形（地図と自者位置マーク）とを使って視覚的に認識することが可能になる。
【００５５】
ＰＣ側操作部２１０は、使用者の操作によりコマンドをＰＣ側制御部２９０に送る装置である。特に、過去の施設の混雑状況の経験値の入力に使用される。混雑状況は、施設、日付、曜日、祝祭日、天気と、時間帯ごとの待ち時間（待ち行列の長さ）である。
【００５６】
施設毎の予想待ち時間は、日付、曜日、天気、時間帯の似通った条件下の平均的な待ち時間から求められる。施設の時間帯毎の待ち時間は、ＰＣ側操作部２１０を使った入力でもよいが、後述する第１〜第１２施設側端末３００ａ１〜３００ａ１２から自動的に入力してもよい。この場合は、ＰＣ側操作部２１０で入力するのは、日付、曜日、祝祭日、天気など、施設に関連せず、施設を有する一定の領域全体に関わる情報である。
【００５７】
ＰＣ側表示部２４０は、ＰＣ２００の使用状況を表示する。特に、ＰＣ側表示部２４０は、過去の施設の混雑状況の入力状況を表示する。
【００５８】
ＰＣ側記録部２５０は、過去の施設の混雑状況を記録する。過去の施設の混雑状況は、第２送受信部２８０、使用者側送受信部１８０を介して、使用者側記録部１５０に記録され、携帯情報端末１００の使用者側制御部１９０により、使用する施設の予想待ち時間演算に用いられる。
【００５９】
また、過去の施設の混雑状況に基づいて、現在位置表示において、施設に対応して混雑が予想される領域（待ち行列などの混雑状況）を表示してもよい。この場合、現在位置表示において、現在時刻の表示に加えて、現在時刻以降で近い時間帯に予想される混雑領域と、混雑する旨の警告が、簡易地図１０を表示した地図画面上に行われるのが望ましい（図１４参照）。
【００６０】
第２送受信部２８０は、携帯情報端末１００の使用者側送受信部１８０と、データの送受信を行う。また、第２送受信部２８０は、第１〜第１２施設側端末３００ａ１〜３００ａ１２と、データの送受信を行う。
【００６１】
ＰＣ側制御部２９０は、ＰＣ２００の各部の制御を行う。
【００６２】
予約状況の確認の場合は、携帯情報端末１００の使用者を含む予約する施設利用者数と利用時間帯に関する情報を、ＰＣ２００を介して、予約可能な施設の第ｎ施設側端末３００ａｎに送信（コマンド送信）し、第ｎ施設側端末３００ａｎの第ｎ施設側制御部３９０ａｎは、施設利用者数と利用時間帯の条件が予約可能な状態にあるか否かを判断し、判断結果をＰＣ２００に送信し、携帯情報端末１００に転送され、スケジュール画面１４５の内容に反映される。
【００６３】
予約設定の場合は、携帯情報端末１００の使用者名称、施設利用者数、及び利用時間帯に関する情報を、ＰＣ２００を介して、第ｎ施設側端末３００ａｎに送信する。第ｎ施設側端末の第ｎ施設側制御部３９０ａｎは、予約内容を記録手段（不図示）に記録し、また表示手段（不図示）などに予約内容を出力する。
【００６４】
次に第１〜第１２施設側端末３００ａ１〜３００ａ１２について説明する。第１〜第１２撮影部は、一定時間ごとに、第１〜第１２施設側端末３００ａ１〜３００ａ１２に対応する施設を使用するために並んでいる人を撮影し、第１〜第１２施設側制御部３９０ａ１〜３９０ａ１２は、撮影した画像の行列などから混雑状況を把握し、一定時間ごとの待ち時間を算出する。施設ごと、一定時間ごとの待ち時間に関する情報は、ＰＣ２００に送信され、ＰＣ側記録部２５０に、過去の施設の混雑状況としてデータベース化されて記録される。一定時間ごとの待ち時間の算出は、人の目視によって確認、及び入力によって行われても良い。
【００６５】
本実施形態では、簡易地図１０を表示する地図表示、選択画面１４１、及びスケジュール画面１４５が切り替え可能な状態で表示されるため、利用するアトラクションなどの施設を視覚的に理解しやすいメリットを有する。
【００６６】
また、過去の待ち時間などを考慮して、出来る限り多くのアトラクションなどの施設を利用できる可能性の高いスケジュールを作成することにより、効率よく一定の領域にある施設を利用することが可能になる。
【００６７】
また、説明の簡素化のため、携帯情報端末１００が１台であるとして説明したが、複数ある場合には、サーバ２００を経由して（または直接的に）、スケジュールに関する情報や緯度経度情報を交換することにより、別の形態情報端末１００の保持者の位置（他者位置）や、スケジュールを使用者側表示部１４０に表示させて視認することが可能になる（図１３参照）。
【００６８】
また、混雑状況は、過去の施設の混雑状況から推測される形態を説明したが、施設周辺を写真撮影や目視などにより随時混雑状況を特定する形態であっても良い。この場合は、リアルタイムの混雑状況を知ることが可能になりより正確な混雑状況を使用者に知らせることや、より正確な混雑状況に基づくスケジュール作成が可能になる。
【図面の簡単な説明】
【００６９】
【図１】本実施形態における携帯情報端末の構成図である。
【図２】携帯情報端末のブロック図である。
【図３】簡易地図の構成を示す図である。
【図４】自者が居るエリアを特定できる状態の、簡易地図の構成を示す図である。
【図５】自者が居るエリアを特定できない状態の、簡易地図の構成を示す図である。
【図６】選択画面の表示例で、どの項目も選択されていない状態を示す図である。
【図７】選択画面の表示例で、１つの時間帯に２つの施設の利用選択を行った状態を示す図である。
【図８】スケジュール画面の表示例で、１つの時間帯に２つの施設の利用選択を行った状態を示す図である。
【図９】選択画面の表示例で、１つの時間帯に１つの施設の利用選択を行った状態を示す図である。
【図１０】スケジュール画面の表示例で、１つの時間帯に１つの施設の利用選択を行った状態を示す図である。
【図１１】利用選択した施設と、選択しなかった施設を区別して表示する簡易地図表示例である。
【図１２】簡易地図表示において、警告表示を行う状態の図である。
【図１３】利用選択した施設と、選択しなかった施設を区別して表示する簡易地図表示例において、自者位置に加えて他者位置を表示する図である。
【図１４】利用選択した施設と、選択しなかった施設を区別して表示する簡易地図表示例において、予想混雑状況を表示する図である。
【符号の説明】
【００７０】
１０  簡易地図
１１  選択画面切り替えキー
１００  携帯情報端末
１３０  計測部
１４０  使用者側表示部
１４１  選択画面
１４２  スケジュール画面切り替えキー
１４５  スケジュール画面
１４６  地図画面切り替えキー
１４７  予約実行キー
１４８  選択画面切り替えキー
１５０  使用者側記録部
１８０  使用者側送受信部
１９０  使用者側制御部
２００  ＰＣ
２１０  操作部
２４０  ＰＣ側表示部
２５０  ＰＣ側記録部
２８０  ＰＣ側送受信部
２９０  ＰＣ側制御部
３００ａ１〜３００ａ１２  第１〜第１２施設側端末
３７０ａ１〜３７０ａ１２  第１〜第１２撮影部
３８０ａ１〜３８０ａ１２  第１〜第１２送受信部
３９０ａ１〜３９０ａ１２  第１〜第１２制御部
Ａ１〜Ａ６  第１エリアの基準ポイント
Ｂ１〜Ｂ８  第２エリアの基準ポイント
Ｃ１〜Ｃ５  第３エリアの基準ポイント
Ｄ１〜Ｄ９  第４エリアの基準ポイント
Ｅ１〜Ｅ８  第５エリアの基準ポイント
Ａ（１）〜Ａ（５）  第１〜第５アトラクション
Ｅ（１）〜Ｅ（３）  第１〜第３イベント
Ｒ（１）〜Ｒ（４）  第１〜第４レストラン
【図１】
2008102822.tif 000003
【図２】
2008102822.tif 000004
【図３】
2008102822.tif 000005
【図４】
2008102822.tif 000006
【図５】
2008102822.tif 000007
【図６】
2008102822.tif 000008
【図７】
2008102822.tif 000009
【図８】
2008102822.tif 000010
【図９】
2008102822.tif 000011
【図１０】
2008102822.tif 000012
【図１１】
2008102822.tif 000013
【図１２】
2008102822.tif 000014
【図１３】
2008102822.tif 000015
【図１４】
2008102822.tif 000016